(57)【要約】【課題】開閉障子を備えた窓ユニットを、隣接する窓ユニット間あるいは窓ユニットと建物の開口部内周面間の見付け幅を大きくすることなく配置する。【解決手段】  障子取付け枠に開閉障子を丁番で連結した窓ユニットとする。  開閉障子は、閉じた状態において障子取付け枠の屋外側に重なる外側部分を有する。外側部分は、障子取付け枠の外形と略同じ大きさの外形を備えると共に室内外を遮断する遮蔽パネルを装着した部分である。  丁番は、丁番軸を開閉障子の屋外側端に配置して、開閉障子の外側部分の外周面と障子取付け枠の外周面とを、枠側の固定位置を開閉障子の室内側として連結する。【選択図】図２
2014034876.tif 000002
【特許請求の範囲】
【請求項１】
障子取付け枠と、開閉障子と、丁番を備え、
開閉障子は、閉じた状態において障子取付け枠の屋外側に重なる外側部分を有し、外側部分は障子取付け枠の外形と略同じ大きさの外形を備えると共にパネルを装着した部分であり、
丁番は丁番軸を開閉障子の屋外側端に配置して開閉障子を障子取付け枠へ開閉可能に連結するものであり、開閉障子の外側部分の外周と障子取付け枠の外周に取り付けられていることを特徴とした窓ユニット。
【発明の詳細な説明】
【技術分野】
【０００１】
障子取付け枠に開閉障子を丁番で開閉可能に連結した窓ユニットに関する。
【背景技術】
【０００２】
障子取付け枠に丁番を介して開閉障子を取り付け、丁番軸を中心に開閉障子を回動させて障子取付け枠が形成する開口部を開閉する窓がある。このような窓は、窓を閉じたとき、開閉障子の外周が障子取付け枠の内周に嵌りこみ、障子取付け枠（あるいは障子取付け枠に相当する構造部分）の外面と開閉障子の外面がほぼ平らになる構造である（特許文献１、２）。このとき、丁番は丁番軸を障子取付け枠の見込み方向室外側あるいは開閉障子の見込み方向室外側に近接した位置として、障子側羽根が開閉障子の外周面に、枠体側羽根が障子取付け枠に取付けられている。
【先行技術文献】
【特許文献】
【０００３】
【特許文献１】特開２０１０−２８１０９８号公報
【特許文献２】実用新案登録第２５５４７７７号公報
【発明の概要】
【発明が解決しようとする課題】
【０００４】
特許文献１の窓では、枠形に組んだ障子取付け枠に開閉障子を取り付けると、障子取付け枠の枠内に開閉障子が嵌り込んだ状態となり、正面視において開閉障子の框の外周に障子取付け枠が重なって、開口部周囲の枠状部分が幅広く見え、窓の外観が重苦しくなる。
【０００５】
また、特許文献２の窓では、無目や方立による構造に丁番を用いて障子取付け枠を取付けると正面視において開閉障子の周囲に枠状部分が露出して壁のデザイン上で好ましくないことがある。そして、この構造では障子の大きさが障子取付け枠の枠内面の範囲に限定され、障子を大きくすることができない。
この発明は、隣接する窓ユニット間あるいは窓ユニットと建物の開口部内周面間の見付け幅を大きくすることなく配置できる、開閉障子を備えた窓ユニットに関する。
【課題を解決するための手段】
【０００６】
障子取付け枠と、開閉障子と、丁番を備えた窓ユニットとする。
開閉障子は、閉じた状態において障子取付け枠の屋外側に重なる外側部分を有する。開閉障子の外側部分は障子取付け枠の外形と略同じ大きさの外形を備えると共に、ガラス板のようなパネルを装着した部分である。
【０００７】
丁番は、丁番軸を開閉障子の屋外側端に配置して開閉障子を障子取付け枠へ開閉可能に連結するものであり、開閉障子の外側部分の外周と障子取付け枠の外周に取り付けられる。
【発明の効果】
【０００８】
複数の窓ユニットを用いて窓を段窓あるいは連窓とするとき、窓ユニットの開閉障子が障子取付け枠の屋外側に位置し、且つ、外形がほぼ同じとされていることと、丁番が開閉障子と障子取付け枠の外周に取り付けられていることにより、隣接する窓ユニットを近接して配置することができる。
また、開閉障子は、外形が障子取付け枠と略同じになっているので、外部に障子取付け枠が現れないすっきりしたデザインの段窓、連窓あるいはカーテンウォールを構成することができる。
窓ユニットにおいて、開閉障子の外側部分は屋外側から障子取付け枠に当接し、また、外形が障子取付け枠と略同じにされているので、開閉障子におけるガラス板などを大きく設定することができる。
【図面の簡単な説明】
【０００９】
【図１】〔Ａ〕は、カーテンウォールの室外側正面図（一部）、〔Ｂ〕はそのＡ−Ａ断面図。
【図２】図１におけるＢ−Ｂ断面図（窓ユニットの縦断面図）。
【図３】図１におけるＣ−Ｃ断面図（方立箇所の横断面図）。
【図４】障子取付け枠の縦断面図。
【図５】窓ユニットの上部を拡大して示す縦断面図。
【図６】丁番を示し、〔Ａ〕は斜視図、〔Ｂ〕はＢ−Ｂ線に沿った断面見通し図、〔Ｃ〕は下方から見上げた平面図。
【図７】〔Ａ〕は、窓ユニット（実施例２）の全体を示した斜視図、〔Ｂ〕は、開閉の状態を示した斜視図。
【発明を実施するための形態】
【００１０】
〔実施例１〕
図１Ａ、Ｂに示すカーテンウォール１は、正面視において等間隔に立設された方立２と、複数のパネルユニット３とで構成されている。
図１において、パネルユニット３は、大きさや形態に関して複数種のものが使用されているが、図１に見るように、目地線４を上下方向、左右方向共に直線とし、且つ、直交した配置となるようにされている。このうち、パネルユニット３ａは、開閉障子５（図２）を備えた窓ユニットとなっている（以下、窓ユニット３ａとする）。
【００１１】
窓ユニット３ａは、カーテンウォール１の一部に窓を構成するためのものであり、図３に示すように、ユニット構成枠６と開閉障子５を備える。
この実施例において、開閉障子５はユニット構成枠６が形成する窓開口７の上半を開閉するものとされており、窓ユニット３ａの上半が突出し窓８として構成されている。下半は、その他のパネルユニット３と同様に、ガラス板９を嵌め殺した嵌め殺し部１０となっている。
【００１２】
ユニット構成枠６は、図２〜４に図示されているように、上枠１１、下枠１２、左右の縦枠１３，１４及び前記の上半と下半を区画する無目１５とからなる。無目１５は左右の縦枠１３，１４間に固定されている。
開閉障子５は、図２〜４に図示されているように、上框１６、下框１７、左右の縦框１８，１９及びこれらによる框組２０の内側に装着されたガラス板２２とからなる。この実施例において、上枠１６と左右の縦枠１３，１４及び無目１５の立上り部２６で構成される枠状部分が開閉障子５の障子取付け枠２１となる。
前記の開閉障子５は、ガラス板２２が装着された外側部分２３と障子取付け枠２１の内側に嵌り込む内側部分２４を有する。ガラス板２２はパネルの一つである。パネルとしては他に、アクリル板とか金属の薄板あるいやガラリなどがある。
【００１３】
外側部分２３は開閉障子５を閉じたとき、障子取付け枠２１の屋外側に位置し、障子取付け枠２１と開閉障子５が室内外方向に重なった箇所（この実施例では、上枠１１と左右の縦枠１３，１４の上半）では、開閉障子５によって障子取付け枠２１が隠蔽される。すなわち、例として上枠１１と上框１６に関して第５図に示すように、障子取付け枠２１の外周面は、開閉障子５の外周面と室内外方向でほぼ同一面にあり、開閉障子５の周辺に関して室外方向及び外周方向に突出する部分を有していない。なお、図５では、上枠１１と上框１６を区別するために、上框１６にのみハッチングをほどこしている。図において上部に現れている下枠１２は、上部のパネルユニット３のものである。
【００１４】
この実施例のユニット構成枠６について詳述する（図４）。
ユニット構成枠６は、上半の突出し窓８の部分で室外側が開閉障子５を収容するための空間２５とされ、ユニット構成枠６の上半は、下半に対して室内側に寄り、かつ、室内外方向の寸法が小さな部分となっている。無目１５における立上り部２６と上枠１１からの垂下部２７及び左右縦枠１３，１４の内周突出部２８，２９（図３、右縦枠１４部分は図示を省略しているが、左右対称に現れる）とで、枠状に開閉障子５の戸当たり部３０を構成している。符号３１はタイト材であり、四周に巡らされている。タイト材３１には、開閉障子５を閉じたとき、開閉障子の内側部分２４の室内側辺縁が当接する（図３、図５）。
【００１５】
障子取付け枠２１の外周面の一部である上枠１１の上面側には上方の窓ユニット３ａの下枠１２との間に一次気密材３２（室外寄り）と二次気密材３３（室内寄り）が取付けられると共に、室外側の上縁が少し室外側へ延出されて丁番取付け縁３４を構成している（図５）。一次気密材３２は障子取付け枠２１の四周に巡らされる。
符号３５はタイト材であり、丁番取付け縁３４のすぐ下方に取付けられている。このタイト材３５は左右縦枠１３，１４の内面にわたって巡らされており、開閉障子５が閉じられたとき、開閉障子５の外側部分２３の室内側面が当接する。
【００１６】
ユニット構成枠６の外周面の一部である下枠１２の下面側には、前記一次気密材３２が取付けられていると共に、室内側寄りに、前記上枠１１の二次気密材３３が当接する受け部３５が形成されている（図４）。
【００１７】
開閉障子５は障子取付け枠２１に上部を丁番３６で連結され、開閉可能に取付けられる（図２、図５  この実施例において、突き出し窓）。
丁番３６は、図６Ａ，Ｂ，Ｃに示すように、枠側取付け羽根３７、障子側取付け羽根３８、丁番軸３９及び補強片４０を備え、枠側取付け羽根３７と障子側取付け羽根３８が丁番軸３９で開閉可能とされている。補強片４０は、枠側取付け羽根３７の、丁番軸３９の長手方向に沿った一側に、丁番軸３９の長手方向と直交し、枠側取付け羽根３７の面に直交する方向に丁番軸３９側から室内側に延びた、この実施例において直角三角形状の構造とされている。
【００１８】
丁番３６は、丁番軸３９を開閉障子５における外側部分２３の外周部（この実施例において上框１６の上面）の室外側辺に近接させ（図５）、開閉障子５と障子取付け枠２１の間であって、障子側取付け羽根３８が上框１６の左右端部に位置するようにして、２個配置される。各丁番３６は、開閉障子５の上框１６の上面に障子側取付け羽根３８をねじ４１で固定すると共に、枠側取付け羽根３７の室内側端を、上枠１１の室外側に少し張り出して形成してある前記の丁番取付け縁３４にこの取付け縁３４の下面側から裏板を用いることなく直接に、ねじ４２により固定する。そして、補強片４０を左右縦枠１３，１４の外側面にあてがい、その室内側垂直部をねじ４３で左右縦枠１３，１４に固定して取り付ける（補強片ねじ止め箇所４４、図３）。
【００１９】
なお、開閉障子５の前記丁番３６が取り付く箇所（この実施例において上框１６の上面）は室外側、室内側が高く少し凹んだ構造とされ、丁番３６の障子側取付け羽根３８やねじ４２の頭が室外側からの見付けに露出しないようにされている。
また、枠側取付け羽根３７と丁番取付け縁３４とのねじ止めに裏板を用いていないので、この部分が外周側へ突出する量が小さくなっている。
【００２０】
以上の構成であって、この窓ユニット３ａは、突出し窓８の箇所において、障子取付け枠２１の最も室外側となる部分が丁番取付け縁３４であり、この部分は開閉障子５の室外側面から奥まった位置にあるので、窓ユニット３ａの室外側からの見付けに障子取付け枠２１が露出することがない。
また、障子取付け枠２１の外周面と開閉障子５の外周面とは室内外方向でほぼ同一面にあるので、窓ユニット３ａ間を近接して配置し、目地線４を細くすることが出来る。これにより、シンプルなデザインのカーテンウォール等の壁面を構成することが出来る。
【００２１】
さらに、丁番取付け縁３４の室外側縁は開閉障子５の外周面に関して室内側端近くに位置するので、丁番３６の枠側取付け羽根３７は、障子取付け枠２１から室外側へ丁番軸３９の位置まで片持ち的に大きく張り出すことになるが、枠側取付け羽根３７は補強片４０を備え、これによって開閉障子５の荷重を障子取付け枠２１に分散させることができるから、丁番３６の取付けが不安定になることはなく、開閉操作が安定した突き出し窓を提供することが出来る。
【００２２】
〔実施例２〕
図７は、窓ユニット３ａにおいて、開閉障子５の外周囲とユニット構成枠６の外周囲をほぼ同じ大きさに構成し、かつ、ユニット構成枠６は開閉障子５の周辺よりも室外側及び外周側に突出しない構成としたものである。ユニット構成枠６は同時に全体が障子取付け枠２１でもある。開閉障子５は上枠１１における上面の左右両側に配置固定された丁番３６で開閉可能に取付けられている。この障子取付け枠２１は実施例１のユニット構成枠６の上半と無目１５とからなるものに相当する。障子取付け枠２１と開閉障子５の具体的な構成は実施例１の場合と同様である。
【００２３】
このように、カーテンウォール１におけるパネルユニット３の一つとして構成される窓ユニット３ａの他に、独立した突出し窓８の窓ユニット３ａとして構成することもできる。この場合においても、例えば、躯体に形成された窓開口の内面と窓ユニット３ａとの間隔（目地線４に相当）を小さくすることができ、窓のイメージをシンプルなものと出来る。
以上、突出し窓を例として窓ユニット３ａを説明したが、外倒し窓、外開き窓であってもよい。さらに、丁番３６を取り付ける箇所は上枠１１や下枠１２など横枠の位置にかぎらず、左右の縦枠１３，１４の位置とすることもできる。
【符号の説明】
【００２４】
１  カーテンウォール
２  方立
３  パネルユニット
３ａ  窓ユニット
４  目地線
５  開閉障子
６  ユニット構成枠
７  窓開口
８  突出し窓
９  ガラス板
１０  嵌め殺し部
１１  上枠
１２  下枠
１３  左縦枠
１４  右縦枠
１５  無目
１６  上框
１７  下框
１８  左框
１９  右框
２０  框組
２１  障子取付け枠
２２  ガラス板
２３  外側部分
２４  内側部分
２５  空間
２６  立上り部
２７  垂下部
２８  内周突出部（左）
２９  内周突出部（右）
３０  戸当り部
３１  タイト材
３２  一次気密材
３３  二次気密材
３４  丁番取付け縁
３５  受け部
３６  丁番
３７  枠側取付け羽根
３８  障子側取付け羽根
３９  丁番軸
４０  補強片
４１  ねじ
４２  ねじ
４３  ねじ
４４  補強片ねじ止め箇所
【図１】
2014034876.tif 000003
【図２】
2014034876.tif 000004
【図３】
2014034876.tif 000005
【図４】
2014034876.tif 000006
【図５】
2014034876.tif 000007
【図６】
2014034876.tif 000008
【図７】
2014034876.tif 000009